【手続補正書】
【提出日】平成28年2月15日(2016.2.15)
【手続補正１】
【補正対象書類名】特許請求の範囲
【補正対象項目名】全文
【補正方法】変更
【補正の内容】
【特許請求の範囲】
【請求項１】
ワイヤレス通信ネットワークにおいてモバイルデバイスによって動作可能なキャリアアグリゲーションのための方法であって、前記方法は、
アグリゲートされるべき複数のコンポーネントキャリアのうちの第１のコンポーネントキャリアと第２のコンポーネントキャリアとを識別することと、ここにおいて前記第１のコンポーネントキャリア中のサブフレームタイプのサブフレームの第１の数が前記第２のコンポーネントキャリア中の同じサブフレームタイプのサブフレームの第２の数よりも少ない、
前記第１のコンポーネントキャリア上で前記第２のコンポーネントキャリアのための制御チャネルを監視するための構成を受信することと、
前記サブフレームタイプと前記制御チャネルのための前記受信した構成とに少なくとも部分的に基づいて、前記第２のコンポーネントキャリアのための基準アップリンクダウンリンクサブフレーム構成を判断することと
を備える。
【請求項２】
前記サブフレームタイプが少なくとも２つのサブフレームタイプのうちの１つであり、
第１のサブフレームタイプがダウンリンクサブフレームまたは特別なサブフレームのうちの少なくとも１つを備えるか、または
第２のサブフレームタイプがアップリンクサブフレームを備える、請求項１に記載の方法。
【請求項３】
前記サブフレームタイプが前記第１のサブフレームタイプであり、前記基準アップリンクダウンリンクサブフレーム構成が前記第１のコンポーネントキャリアに基づく、請求項２に記載の方法。
【請求項４】
前記第２のコンポーネントキャリアのためのダウンリンクデータ送信のためのハイブリッド自動再送要求（Ｈ−ＡＲＱ）タイミングが前記基準アップリンクダウンリンクサブフレーム構成に基づく、請求項３に記載の方法。
【請求項５】
前記サブフレームタイプが第２のサブフレームタイプであり、前記基準アップリンクダウンリンクサブフレーム構成が前記第２のコンポーネントキャリアに基づく、請求項２に記載の方法。
【請求項６】
前記第２のコンポーネントキャリアのためのアップリンクデータ送信のためのＨ−ＡＲＱタイミングが前記基準アップリンクダウンリンクサブフレーム構成に基づいて判断される、請求項５に記載の方法。
【請求項７】
アグリゲートされるべき複数のコンポーネントキャリアのうちの第１のコンポーネントキャリアと第２のコンポーネントキャリアとを識別するための手段と、ここにおいて前記第１のコンポーネントキャリア中のサブフレームタイプのサブフレームの第１の数が前記第２のコンポーネントキャリア中の同じサブフレームタイプのサブフレームの第２の数よりも少ない、
前記第１のコンポーネントキャリア上で前記第２のコンポーネントキャリアのための制御チャネルを監視するための構成を受信するための手段と、
前記サブフレームタイプと前記制御チャネルのための前記受信した構成とに少なくとも部分的に基づいて、前記第２のコンポーネントキャリアのための基準アップリンクダウンリンクサブフレーム構成を判断するための手段と
を備える、装置。
【請求項８】
ワイヤレス通信ネットワークにおいてネットワークエンティティによって動作可能なキャリアアグリゲーションのための方法であって、前記方法は、
アグリゲートされるべき複数のコンポーネントキャリアのうちの第１のコンポーネントキャリアと第２のコンポーネントキャリアとを識別することと、ここにおいて前記第１のコンポーネントキャリア中のサブフレームタイプのサブフレームの第１の数が前記第２のコンポーネントキャリア中の同じサブフレームタイプのサブフレームの第２の数よりも少ない、
前記第１のコンポーネントキャリア上で前記第２のコンポーネントキャリアのための制御チャネルを監視するための構成をモバイルデバイスに送ることと、
前記サブフレームタイプと前記制御チャネルのための前記送られた構成とに少なくとも部分的に基づいて、前記第２のコンポーネントキャリアのための基準アップリンクダウンリンクサブフレーム構成を判断することと
を備える。
【請求項９】
前記制御チャネルが物理ダウンリンク制御チャネル（ＰＤＣＣＨ）または拡張ＰＤＣＣＨ（ＥＰＤＣＣＨ）のうちの少なくとも１つである、請求項１または８に記載の方法。
【請求項１０】
前記制御チャネルがキャリア指示フィールド（ＣＩＦ）を備える、請求項１または８に記載の方法。
【請求項１１】
前記第１のコンポーネントキャリアが、１次セル（ＰＣｅｌｌ）に関連する１次コンポーネントキャリアであり、
前記第２のコンポーネントキャリアが、２次セル（ＳＣｅｌｌ）に関連する２次コンポーネントキャリアである、請求項１または８に記載の方法。
【請求項１２】
前記第１のコンポーネントキャリアが、所与の２次セル（ＳＣｅｌｌ）に関連する所与の２次コンポーネントキャリアであり、
前記第２のコンポーネントキャリアが、別のＳＣｅｌｌに関連する別の２次コンポーネントキャリアである、請求項１または８に記載の方法。
【請求項１３】
前記第１のコンポーネントキャリア中の前記サブフレームタイプのサブフレームの第１のセットが、前記第２のコンポーネントキャリア中の前記同じサブフレームタイプのサブフレームの第２のセットのサブセットである、請求項１または８に記載の方法。
【請求項１４】
アグリゲートされるべき複数のコンポーネントキャリアのうちの第１のコンポーネントキャリアと第２のコンポーネントキャリアとを識別するための手段と、ここにおいて前記第１のコンポーネントキャリア中のサブフレームタイプのサブフレームの第１の数が前記第２のコンポーネントキャリア中の同じサブフレームタイプのサブフレームの第２の数よりも少ない、
前記第１のコンポーネントキャリア上で前記第２のコンポーネントキャリアのための制御チャネルを監視するための構成をモバイルデバイスに送るための手段と、
前記サブフレームタイプと前記制御チャネルのための前記送られた構成とに少なくとも部分的に基づいて、前記第２のコンポーネントキャリアのための基準アップリンクダウンリンクサブフレーム構成を判断するための手段と
を備える、装置。
【請求項１５】
請求項１−７および／または８−１３のいずれかに記載の方法を実行することをコンピュータに行わせるためのコードを備える非一時的コンピュータ可読媒体
を備える、コンピュータプログラム製品。
【手続補正２】
【補正対象書類名】明細書
【補正対象項目名】０１００
【補正方法】変更
【補正の内容】
【０１００】
［0112]本開示についての以上の説明は、当業者が本開示を作成または使用することができるようにするために提供したものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願出願の当初の特許請求の範囲に記載された発明を付記する。
［Ｃ１］ワイヤレス通信ネットワークにおいてモバイルデバイスによって動作可能なキャリアアグリゲーションのための方法であって、前記方法は、
アグリゲートされるべき複数のコンポーネントキャリアのうちの第１のコンポーネントキャリアと第２のコンポーネントキャリアとを識別することと、ここにおいて前記第１のコンポーネントキャリア中のサブフレームタイプのサブフレームの第１の数が前記第２のコンポーネントキャリア中の同じサブフレームタイプのサブフレームの第２の数よりも少ない、
前記第１のコンポーネントキャリア上で前記第２のコンポーネントキャリアのための制御チャネルを監視するための構成を受信することと、
前記サブフレームタイプと前記制御チャネルのための前記受信した構成とに少なくとも部分的に基づいて、前記第２のコンポーネントキャリアのための基準アップリンクダウンリンクサブフレーム構成を判断することと
を備える。
［Ｃ２］前記制御チャネルが物理ダウンリンク制御チャネル（ＰＤＣＣＨ）または拡張ＰＤＣＣＨ（ＥＰＤＣＣＨ）のうちの少なくとも１つである、Ｃ１に記載の方法。
［Ｃ３］前記制御チャネルがキャリア指示フィールド（ＣＩＦ）を備える、Ｃ１に記載の方法。
［Ｃ４］前記第１のコンポーネントキャリアが、１次セル（ＰＣｅｌｌ）に関連する１次コンポーネントキャリアであり、
前記第２のコンポーネントキャリアが、２次セル（ＳＣｅｌｌ）に関連する２次コンポーネントキャリアである、Ｃ１に記載の方法。
［Ｃ５］前記第１のコンポーネントキャリアが、所与の２次セル（ＳＣｅｌｌ）に関連する所与の２次コンポーネントキャリアであり、
前記第２のコンポーネントキャリアが、別のＳＣｅｌｌに関連する別の２次コンポーネントキャリアである、Ｃ１に記載の方法。
［Ｃ６］前記第１のコンポーネントキャリア中の前記サブフレームタイプのサブフレームの第１のセットが、前記第２のコンポーネントキャリア中の前記同じサブフレームタイプのサブフレームの第２のセットのサブセットである、Ｃ１に記載の方法。
［Ｃ７］前記サブフレームタイプが少なくとも２つのサブフレームタイプのうちの１つであり、
第１のサブフレームタイプがダウンリンクサブフレームまたは特別なサブフレームのうちの少なくとも１つを備えるか、または
第２のサブフレームタイプがアップリンクサブフレームを備える、Ｃ１に記載の方法。
［Ｃ８］前記サブフレームタイプが前記第１のサブフレームタイプであり、前記基準アップリンクダウンリンクサブフレーム構成が前記第１のコンポーネントキャリアに基づく、Ｃ７に記載の方法。
［Ｃ９］前記第２のコンポーネントキャリアのためのダウンリンクデータ送信のためのハイブリッド自動再送要求（Ｈ−ＡＲＱ）タイミングが前記基準アップリンクダウンリンクサブフレーム構成に基づく、Ｃ８に記載の方法。
［Ｃ１０］前記サブフレームタイプが第２のサブフレームタイプであり、前記基準アップリンクダウンリンクサブフレーム構成が前記第２のコンポーネントキャリアに基づく、Ｃ７に記載の方法。
［Ｃ１１］前記第２のコンポーネントキャリアのためのアップリンクデータ送信のためのＨ−ＡＲＱタイミングが前記基準アップリンクダウンリンクサブフレーム構成に基づいて判断される、Ｃ１０に記載の方法。
［Ｃ１２］アグリゲートされるべき複数のコンポーネントキャリアのうちの第１のコンポーネントキャリアと第２のコンポーネントキャリアとを識別するための手段、ここにおいて前記第１のコンポーネントキャリア中のサブフレームタイプのサブフレームの第１の数が前記第２のコンポーネントキャリア中の同じサブフレームタイプのサブフレームの第２の数よりも少ない、
前記第１のコンポーネントキャリア上で前記第２のコンポーネントキャリアのための制御チャネルを監視するための構成を受信するための手段と、
前記サブフレームタイプと前記制御チャネルのための前記受信した構成とに少なくとも部分的に基づいて、前記第２のコンポーネントキャリアのための基準アップリンクダウンリンクサブフレーム構成を判断するための手段と
を備える、装置。
［Ｃ１３］前記制御チャネルが物理ダウンリンク制御チャネル（ＰＤＣＣＨ）または拡張ＰＤＣＣＨ（ＥＰＤＣＣＨ）のうちの少なくとも１つである、Ｃ１２に記載の装置。
［Ｃ１４］前記第１のコンポーネントキャリア中の前記サブフレームタイプのサブフレームの第１のセットが、前記第２のコンポーネントキャリア中の前記同じサブフレームタイプのサブフレームの第２のセットのサブセットである、Ｃ１２に記載の装置。
［Ｃ１５］前記サブフレームタイプが少なくとも２つのサブフレームタイプのうちの１つであり得、
第１のサブフレームタイプがダウンリンクサブフレームまたは特別なサブフレームのうちの少なくとも１つを備え、および
第２のサブフレームタイプがアップリンクサブフレームを備える、Ｃ１２に記載の装置。
［Ｃ１６］アグリゲートされるべき複数のコンポーネントキャリアのうちの第１のコンポーネントキャリアと第２のコンポーネントキャリアとを識別するように構成された少なくとも１つのプロセッサと、ここにおいて前記第１のコンポーネントキャリア中のサブフレームタイプのサブフレームの第１の数が前記第２のコンポーネントキャリア中の同じサブフレームタイプのサブフレームの第２の数よりも少ない、
前記第１のコンポーネントキャリア上で前記第２のコンポーネントキャリアのための制御チャネルを監視するための構成を受信するように構成された無線トランシーバと
を備え、
ここにおいて前記少なくとも１つのプロセッサが、前記サブフレームタイプと前記制御チャネルのための前記受信した構成とに少なくとも部分的に基づいて、前記第２のコンポーネントキャリアのための基準アップリンクダウンリンクサブフレーム構成を判断するように構成された、装置。
［Ｃ１７］アグリゲートされるべき複数のコンポーネントキャリアのうちの第１のコンポーネントキャリアと第２のコンポーネントキャリアとを識別することと、ここにおいて前記第１のコンポーネントキャリア中のサブフレームタイプのサブフレームの第１の数が前記第２のコンポーネントキャリア中の同じサブフレームタイプのサブフレームの第２の数よりも少ない、
前記第１のコンポーネントキャリア上で前記第２のコンポーネントキャリアのための制御チャネルを監視するための構成を受信することと、
前記サブフレームタイプと前記制御チャネルのための前記受信した構成とに少なくとも部分的に基づいて、前記第２のコンポーネントキャリアのための基準アップリンクダウンリンクサブフレーム構成を判断することと
をコンピュータに行わせるためのコードを備える非一時的コンピュータ可読媒体
を備える、コンピュータプログラム製品。
［Ｃ１８］ワイヤレス通信ネットワークにおいてネットワークエンティティによって動作可能なキャリアアグリゲーションのための方法であって、前記方法は、
アグリゲートされるべき複数のコンポーネントキャリアのうちの第１のコンポーネントキャリアと第２のコンポーネントキャリアとを識別することと、ここにおいて前記第１のコンポーネントキャリア中のサブフレームタイプのサブフレームの第１の数が前記第２のコンポーネントキャリア中の同じサブフレームタイプのサブフレームの第２の数よりも少ない、
前記第１のコンポーネントキャリア上で前記第２のコンポーネントキャリアのための制御チャネルを監視するための構成をモバイルデバイスに送ることと、
前記サブフレームタイプと前記制御チャネルのための前記送られた構成とに少なくとも部分的に基づいて、前記第２のコンポーネントキャリアのための基準アップリンクダウンリンクサブフレーム構成を判断することと
を備える。
［Ｃ１９］前記制御チャネルが物理ダウンリンク制御チャネル（ＰＤＣＣＨ）または拡張ＰＤＣＣＨ（ＥＰＤＣＣＨ）のうちの少なくとも１つである、Ｃ１８に記載の方法。
［Ｃ２０］前記制御チャネルがキャリア指示フィールド（ＣＩＦ）を備える、Ｃ１８に記載の方法。
［Ｃ２１］前記第１のコンポーネントキャリアが、１次セル（ＰＣｅｌｌ）に関連する１次コンポーネントキャリアであり、
前記第２のコンポーネントキャリアが、２次セル（ＳＣｅｌｌ）に関連する２次コンポーネントキャリアである、Ｃ１８に記載の方法。
［Ｃ２２］前記第１のコンポーネントキャリアが、所与の２次セル（ＳＣｅｌｌ）に関連する所与の２次コンポーネントキャリアであり、
前記第２のコンポーネントキャリアが、別のＳＣｅｌｌに関連する別の２次コンポーネントキャリアである、Ｃ１８に記載の方法。
［Ｃ２３］前記第１のコンポーネントキャリア中の前記サブフレームタイプのサブフレームの第１のセットが、前記第２のコンポーネントキャリア中の前記同じサブフレームタイプのサブフレームの第２のセットのサブセットである、Ｃ１８に記載の方法。
［Ｃ２４］前記サブフレームタイプが少なくとも２つのサブフレームタイプのうちの１つであり得、
第１のサブフレームタイプがダウンリンクサブフレームまたは特別なサブフレームのうちの少なくとも１つを備え、および
第２のサブフレームタイプがアップリンクサブフレームを備える、Ｃ１８に記載の方法。
［Ｃ２５］前記サブフレームタイプが前記第１のサブフレームタイプであり、前記基準アップリンクダウンリンクサブフレーム構成が前記第１のコンポーネントキャリアに基づく、Ｃ２４に記載の方法。
［Ｃ２６］前記第２のコンポーネントキャリアのためのダウンリンクデータ送信のためのハイブリッド自動再送要求（Ｈ−ＡＲＱ）タイミングが前記基準アップリンクダウンリンクサブフレーム構成に基づく、Ｃ２５に記載の方法。
［Ｃ２７］前記サブフレームタイプが第２のサブフレームタイプであり、前記基準アップリンクダウンリンクサブフレーム構成が前記第２のコンポーネントキャリアに基づく、Ｃ２４に記載の方法。
［Ｃ２８］前記第２のコンポーネントキャリアのためのアップリンクデータ送信のためのＨ−ＡＲＱタイミングが前記基準アップリンクダウンリンクサブフレーム構成に基づいて判断される、Ｃ２７に記載の方法。
［Ｃ２９］アグリゲートされるべき複数のコンポーネントキャリアのうちの第１のコンポーネントキャリアと第２のコンポーネントキャリアとを識別するための手段と、ここにおいて前記第１のコンポーネントキャリア中のサブフレームタイプのサブフレームの第１の数が前記第２のコンポーネントキャリア中の同じサブフレームタイプのサブフレームの第２の数よりも少ない、
前記第１のコンポーネントキャリア上で前記第２のコンポーネントキャリアのための制御チャネルを監視するための構成をモバイルデバイスに送るための手段と、
前記サブフレームタイプと前記制御チャネルのための前記送られた構成とに少なくとも部分的に基づいて、前記第２のコンポーネントキャリアのための基準アップリンクダウンリンクサブフレーム構成を判断するための手段と
を備える、装置。
［Ｃ３０］前記制御チャネルが物理ダウンリンク制御チャネル（ＰＤＣＣＨ）または拡張ＰＤＣＣＨ（ＥＰＤＣＣＨ）のうちの少なくとも１つである、Ｃ２９に記載の装置。
［Ｃ３１］前記第１のコンポーネントキャリア中の前記サブフレームタイプのサブフレームの第１のセットが、前記第２のコンポーネントキャリア中の前記同じサブフレームタイプのサブフレームの第２のセットのサブセットである、Ｃ２９に記載の装置。
［Ｃ３２］前記サブフレームタイプが少なくとも２つのサブフレームタイプのうちの１つであり得、
第１のサブフレームタイプがダウンリンクサブフレームまたは特別なサブフレームのうちの少なくとも１つを備え、および
第２のサブフレームタイプがアップリンクサブフレームを備える、Ｃ２９に記載の装置。
［Ｃ３３］アグリゲートされるべき複数のコンポーネントキャリアのうちの第１のコンポーネントキャリアと第２のコンポーネントキャリアとを識別するように構成された少なくとも１つのプロセッサと、ここにおいて前記第１のコンポーネントキャリア中のサブフレームタイプのサブフレームの第１の数が前記第２のコンポーネントキャリア中の同じサブフレームタイプのサブフレームの第２の数よりも少ない、
前記第１のコンポーネントキャリア上で前記第２のコンポーネントキャリアのための制御チャネルを監視するための構成をモバイルデバイスに送るように構成された無線トランシーバと
を備え、
ここにおいて前記少なくとも１つのプロセッサが、前記サブフレームタイプと前記制御チャネルのための前記送られた構成とに少なくとも部分的に基づいて、前記第２のコンポーネントキャリアのための基準アップリンクダウンリンクサブフレーム構成を判断するように構成された、装置。
［Ｃ３４］アグリゲートされるべき複数のコンポーネントキャリアのうちの第１のコンポーネントキャリアと第２のコンポーネントキャリアとを識別することと、ここにおいて前記第１のコンポーネントキャリア中のサブフレームタイプのサブフレームの第１の数が前記第２のコンポーネントキャリア中の同じサブフレームタイプのサブフレームの第２の数よりも少ない、
前記第１のコンポーネントキャリア上で前記第２のコンポーネントキャリアのための制御チャネルを監視するための構成をモバイルデバイスに送ることと、
前記サブフレームタイプと前記制御チャネルのための前記送られた構成とに少なくとも部分的に基づいて、前記第２のコンポーネントキャリアのための基準アップリンクダウンリンクサブフレーム構成を判断することと
をコンピュータに行わせるためのコードを備える非一時的コンピュータ可読媒体
を備える、コンピュータプログラム製品。